(57)【特許請求の範囲】
【請求項１】
方法であって、
第１のアクセス・ポイントに関連する第１の物理セル識別子が、１または複数の他のアクセス・ポイントの１または複数の物理セル識別子とコンフリクトするかを判定することと、
前記第１の物理セル識別子が前記１または複数の物理セル識別子とコンフリクトするかを判定することに少なくとも部分的に基づいて、前記第１のアクセス・ポイントに関連する前記第１の物理セル識別子かグローバル・セル識別子かのどちらかを第２のアクセス・ポイントへ送信するかを判定することと、
システム・アクセス要求の一部として、前記第２のアクセス・ポイントへ前記グローバル・セル識別子をレポートすることを示すことと、
前記システム・アクセス要求を、前記第２のアクセス・ポイントへ送信することと
を備え、
前記グローバル・セル識別子は、前記第１の物理セル識別子よりも、送信のためにより多くのリソースを必要とする方法。
【請求項２】
前記グローバル・セル識別子をレポートすることを示すことは、
前記第２のアクセス・ポイントとの通信を確立するために、アクセス・シーケンスを選択することと、
前記アクセス・シーケンスを、前記システム・アクセス要求において前記第２のアクセス・ポイントへ送信することと
を備える請求項１に記載の方法。
【請求項３】
前記アクセス・シーケンスを選択することは、前記グローバル・セル識別子を送信するために必要なデータ・サイズを計算することを含む請求項２に記載の方法。
【請求項４】
前記グローバル・セル識別子をレポートすることを示すことは、前記システム・アクセス要求におけるビットを初期化することを備える請求項１に記載の方法。
【請求項５】
前記グローバル・セル識別子を送信するために十分なリソースの許可を備えるシステム・アクセス応答を、前記第２のアクセス・ポイントから受信することをさらに備える請求項１に記載の方法。
【請求項６】
前記リソースによって前記グローバル・セル識別子を送信することをさらに備える請求項５に記載の方法。
【請求項７】
前記第１のアクセス・ポイントはソース・アクセス・ポイントであり、前記第２のアクセス・ポイントはハンドオーバにおけるターゲット・アクセス・ポイントである請求項１に記載の方法。
【請求項８】
前記グローバル・セル識別子を送信するかを判定することは、前記第１のアクセス・ポイントのタイプ、または、前記第２のアクセス・ポイントのタイプに少なくとも部分的に基づく請求項１に記載の方法。
【請求項９】
無線通信装置であって、
ソース・アクセス・ポイントの第１の物理セル識別子が、１または複数の他のアクセス・ポイントの１または複数の物理セル識別子とコンフリクトするかを判定し、前記１または複数の物理セル識別子が前記第１の物理セル識別子とコンフリクトするかを判定することに少なくとも部分的に基づいて、システム・アクセス要求において、前記ソース・アクセス・ポイントに関するグローバル・セル識別子をレポートすることを備えるグローバル・セル識別子レポートか、前記第１の物理セル識別子をレポートすることを備える物理セル識別子レポートかのどちらかが要求されているかを示し、前記システム・アクセス要求を、ターゲット・アクセス・ポイントへ送信するように構成された少なくとも１つのプロセッサと、
前記少なくとも１つのプロセッサに接続されたメモリと
を備え、
前記グローバル・セル識別子は、前記第１の物理セル識別子よりも、送信のためにより多くのリソースを必要とする無線通信装置。
【請求項１０】
前記少なくとも１つのプロセッサはさらに、前記ソース・アクセス・ポイントのグローバル・セル識別子を前記ターゲット・アクセス・ポイントへ送信するように構成された請求項９に記載の無線通信装置。
【請求項１１】
前記少なくとも１つのプロセッサはさらに、前記ソース・アクセス・ポイントのグローバル・セル識別子を送信するためのリソースを備えるシステム・アクセス応答を、前記ターゲット・アクセス・ポイントから受信するように構成された請求項１０に記載の無線通信装置。
【請求項１２】
前記少なくとも１つのプロセッサは、前記ターゲット・アクセス・ポイントのためのアクセス・シーケンスを選択することに少なくとも部分的に基づいて、グローバル・セル識別子レポートが要求されているかを示し、前記アクセス・シーケンスを、前記システム・アクセス要求で、前記ターゲット・アクセス・ポイントへ送信する請求項９に記載の無線通信装置。
【請求項１３】
前記システム・アクセス要求は、ハンドオーバ手続の一部として、前記ターゲット・アクセス・ポイントへ送信される請求項９に記載の無線通信装置。
【請求項１４】
前記少なくとも１つのプロセッサはさらに、前記ソース・アクセス・ポイントのタイプ、または、前記ターゲット・アクセス・ポイントのタイプに少なくとも部分的に基づいて、グローバル・セル識別子レポートを示すかを判定するように構成された請求項９に記載の無線通信装置。
【請求項１５】
装置であって、
第１のアクセス・ポイントに関連する第１の物理セル識別子が、１または複数の他のアクセス・ポイントの１または複数の物理セル識別子とコンフリクトするかを判定する手段と、
前記第１の物理セル識別子が、前記１または複数の物理セル識別子とコンフリクトするかを判定することに少なくとも部分的に基づいて、前記第１のアクセス・ポイントの前記第１の物理セル識別子かグローバル・セル識別子かのどちらかを第２のアクセス・ポイントへレポートするかを判定する手段と、
後続するグローバル・セル識別子レポートのインジケーションを備えるシステム・アクセス要求を、前記第２のアクセス・ポイントへ送信し、リソース割当を備えるシステム・アクセス応答を受信する手段と
を備え、
前記グローバル・セル識別子は、前記第１の物理セル識別子よりも、送信のためにより多くのリソースを必要とする装置。
【請求項１６】
前記リソース割当によって、前記グローバル・セル識別子を、前記第２のアクセス・ポイントへ送信する手段をさらに備える請求項１５に記載の装置。
【請求項１７】
前記後続するグローバル・セル識別子レポートのインジケーションは、選択されたアクセス・シーケンスに関連しており、前記送信する手段は、前記アクセス・シーケンスを、前記アクセス要求とともに送信する請求項１５に記載の装置。
【請求項１８】
前記第１のアクセス・ポイントは、ソース・アクセス・ポイントであり、前記第２のアクセス・ポイントは、ハンドオーバ手続中のターゲット・アクセス・ポイントである請求項１５に記載の装置。
【請求項１９】
前記グローバル・セル識別子をレポートするかを判定する手段は、前記第１のアクセス・ポイントのタイプ、または、前記第２のアクセス・ポイントのタイプに少なくとも部分的に基づいて判定する請求項１５に記載の装置。
【請求項２０】
コンピュータ読取可能媒体を備えるコンピュータ・プログラム製品であって、
前記コンピュータ読取可能媒体は、
少なくとも１つのコンピュータに対して、第１のアクセス・ポイントに関連する第１の物理セル識別子が、１または複数のアクセス・ポイントの１または複数の物理セル識別子とコンフリクトするかを判定させるためのコードと、
前記第１の物理セル識別子が前記１または複数の物理セル識別子とコンフリクトするかを判定することに少なくとも部分的に基づいて、前記少なくとも１つのコンピュータに対して、前記第１のアクセス・ポイントに関連する前記第１の物理セル識別子かグローバル・セル識別子かのどちらかを第２のアクセス・ポイントへ送信させるかを判定させるためのコードと、
前記少なくとも１つのコンピュータに対して、システム・アクセス要求の一部として、前記第２のアクセス・ポイントへ前記グローバル・セル識別子をレポートすることを示させるためのコードと、
前記少なくとも１つのコンピュータに対して、前記システム・アクセス要求を、前記第２のアクセス・ポイントへ送信させるためのコードと
を備え、
前記グローバル・セル識別子は、前記第１の物理セル識別子よりも、送信のためにより多くのリソースを必要とするコンピュータ・プログラム製品。
【請求項２１】
前記グローバル・セル識別子をレポートすることを示させることは、
前記第２のアクセス・ポイントとの通信を確立するために、アクセス・シーケンスを選択することと、
前記アクセス・シーケンスを、前記システム・アクセス要求において送信することとを備える請求項２０に記載のコンピュータ・プログラム製品。
【請求項２２】
前記アクセス・シーケンスを選択することは、前記グローバル・セル識別子を送信するために必要なデータ・サイズを計算することを含む請求項２１に記載のコンピュータ・プログラム製品。
【請求項２３】
前記コンピュータ読取可能媒体はさらに、前記少なくとも１つのコンピュータに対して、前記グローバル・セル識別子を送信するために十分なリソースを許可することを備えるシステム・アクセス応答を、前記第２のアクセス・ポイントから受信させるためのコードをさらに備える請求項２０に記載のコンピュータ・プログラム製品。
【請求項２４】
前記コンピュータ読取可能媒体はさらに、前記少なくとも１つのコンピュータに対して、前記リソースによって前記グローバル・セル識別子を送信させるためのコードをさらに備える請求項２３に記載のコンピュータ・プログラム製品。
【請求項２５】
前記第１のアクセス・ポイントはソース・アクセス・ポイントであり、前記第２のアクセス・ポイントはハンドオーバにおけるターゲット・アクセス・ポイントである請求項２０に記載のコンピュータ・プログラム製品。
【請求項２６】
前記グローバル・セル識別子を送信するかを判定することは、前記第１のアクセス・ポイントのタイプ、または、前記第２のアクセス・ポイントのタイプに少なくとも部分的に基づく請求項２０に記載のコンピュータ・プログラム製品。
【請求項２７】
装置であって、
１または複数の他のアクセス・ポイントの１または複数の物理セル識別子が、第１の物理セル識別子とコンフリクトするかを判定することに少なくとも部分的に基づいて、第１のアクセス・ポイントの前記第１の物理セル識別子かグローバル・セル識別子かのどちらかを第２のアクセス・ポイントへレポートするかを見分けるグローバル・セル識別子判定構成要素と、
後続するグローバル・セル識別子レポートのインジケーションを備えるシステム・アクセス要求を、前記第２のアクセス・ポイントへ送信し、リソース割当を備えるシステム・アクセス応答を受信するシステム・アクセス構成要素と
を備え、
前記グローバル・セル識別子は、前記第１の物理セル識別子よりも、送信のためにより多くのリソースを必要とする装置。
【請求項２８】
前記リソース割当によって、前記グローバル・セル識別子を前記第２のアクセス・ポイントへ送信するグローバル・セル識別子レポート構成要素をさらに備える請求項２７に記載の装置。
【請求項２９】
前記システム・アクセス構成要素はさらに、アクセス・シーケンスを、後続するグローバル・セル識別子レポートのインジケーションとして選択し、前記システム・アクセス構成要素は、前記アクセス要求を用いて、前記アクセス・シーケンスを送信する請求項２７に記載の装置。
【請求項３０】
前記第１のアクセス・ポイントは、ソース・アクセス・ポイントであり、前記第２のアクセス・ポイントは、ハンドオーバ手続中のターゲット・アクセス・ポイントである請求項２７に記載の装置。
【請求項３１】
前記グローバル・セル識別子判定構成要素は、前記第１のアクセス・ポイントのタイプ、または、前記第２のアクセス・ポイントのタイプに少なくとも部分的に基づいて前記グローバル・セル識別子をレポートするかを判定する請求項２７に記載の装置。
【請求項３２】
方法であって、
１または複数の他のアクセス・ポイントの１または複数の物理セル識別子の評価に少なくとも部分的に基づいて、アクセス・ポイントの第１の物理セル識別子かグローバル・セル識別子かのどちらかの後続するレポートを示し、前記１または複数の物理セル識別子が前記第１の物理セル識別子とコンフリクトするかを判定するアクセス・シーケンスのセットを明らかにすることと、
アクセス・シーケンスを備えるシステム・アクセス要求をモバイル・デバイスから受信することと、
前記アクセス・シーケンスのセットにおいてアクセス・シーケンスを位置決めすることに少なくとも部分的に基づいて、後続するグローバル・セル識別子のレポートを判定することと
を備え、
前記グローバル・セル識別子は、前記第１の物理セル識別子よりも、送信のためにより多くのリソースを必要とする方法。
【請求項３３】
前記グローバル・セル識別子の後続するレポートを判定することに基づいて、前記グローバル・セル識別子を送信するために十分なリソースを前記モバイル・デバイスへ割り当てることをさらに備える請求項３２に記載の方法。
【請求項３４】
前記割り当てられたリソースによって前記グローバル・セル識別子を受信することをさらに備える請求項３３に記載の方法。
【請求項３５】
前記モバイル・デバイスに関連する情報を受信するために、前記グローバル・セル識別子を用いて前記アクセス・ポイントと通信することをさらに備える請求項３４に記載の方法。
【請求項３６】
前記アクセス・シーケンスのセットを明らかにすることは、ローカル・タイプ、前記アクセス・ポイントのタイプ、または、１または複数の周囲の別のアクセス・ポイントのタイプに少なくとも部分的に基づいて、前記アクセス・シーケンスのセットにおいて明示すべきアクセス・シーケンスの数を判定することを含む請求項３２に記載の方法。
【請求項３７】
無線通信装置であって、
１または複数のアクセス・ポイントの１または複数の物理セル識別子の評価に少なくとも部分的に基づいて、１または複数のモバイル・デバイスから、グローバル・セル識別子をレポートすることを備える後続するグローバル・セル識別子レポートか第１の物理セル識別子をレポートすることを備える物理セル識別子レポートかのどちらかを受信し、前記１または複数の物理セル識別子が前記第１の物理セル識別子とコンフリクトするかを判定することに対応するアクセス・シーケンスのセットを提供し、アクセス・シーケンスを含むシステム・アクセス要求をモバイル・デバイスから受信し、前記アクセス・シーケンスのセットにおけるアクセス・シーケンスを識別することに少なくとも部分的に基づいて、グローバル・セル識別子レポートが要求されているかを見分けるように構成された少なくとも１つのプロセッサと
前記少なくとも１つのプロセッサに接続されたメモリと
を備え、
前記グローバル・セル識別子は、前記第１の物理セル識別子よりも、送信のためにより多くのリソースを必要とする無線通信装置。
【請求項３８】
前記少なくとも１つのプロセッサはさらに、前記グローバル・セル識別子レポートが要求されているかを見分けることに基づいて、前記グローバル・セル識別子を送信するためのリソースを前記モバイル・デバイスへ割り当てるように構成された請求項３７に記載の無線通信装置。
【請求項３９】
前記少なくとも１つのプロセッサはさらに、前記割り当てられたリソースによって、ソース・アクセス・ポイントのグローバル・セル識別子を受信するように構成された請求項３８に記載の無線通信装置。
【請求項４０】
前記少なくとも１つのプロセッサはさらに、前記グローバル・セル識別子を用いて、前記ソース・アクセス・ポイントから、前記モバイル・デバイスに関連する情報を要求するように構成された請求項３９に記載の無線通信装置。
【請求項４１】
装置であって、
１または複数の他のアクセス・ポイントの１または複数の物理セル識別子の評価に少なくとも部分的に基づいて、グローバル識別子をレポートすることを備える後続するグローバル・セル識別子レポートか、第１の物理セル識別子をレポートすることを備える物理セル識別子レポートとのどちらかを示し、前記１または複数の物理セル識別子が前記第１の物理セル識別子とコンフリクトするかを判定することに関連するアクセス・シーケンスのセットを提供する手段と、
アクセス・シーケンスを含むアクセス要求をモバイル・デバイスから取得し、前記アクセス・シーケンスに少なくとも部分的に基づいて、アクセス・ポイントのグローバル・セル識別子を送信するためのリソースを前記モバイル・デバイスへ許可する手段と
を備え、
前記グローバル・セル識別子は、前記第１の物理セル識別子よりも、送信のためにより多くのリソースを必要とする装置。
【請求項４２】
前記許可されたリソースによって、前記アクセス・ポイントのグローバル・セル識別子を、前記モバイル・デバイスから受信する手段をさらに備える請求項４１に記載の装置。
【請求項４３】
前記モバイル・デバイスに関連する情報を受信するために、前記グローバル・セル識別子を用いて、前記アクセス・ポイントと通信する手段をさらに備える請求項４２に記載の装置。
【請求項４４】
前記アクセス・ポイントは、ハンドオーバ手続中のソース・アクセス・ポイントである請求項４３に記載の装置。
【請求項４５】
前記アクセス・シーケンスのセットを提供する手段は、ローカル・タイプ、または、１または複数の別の周囲のアクセス・ポイントのタイプに少なくとも部分的に基づいて、前記セット内に提供されるシーケンスの数を判定する請求項４１に記載の装置。
【請求項４６】
コンピュータ読取可能媒体を備えるコンピュータ・プログラム製品であって、
前記コンピュータ読取可能媒体は、
少なくとも１つのコンピュータに対して、１または複数の他のアクセス・ポイントの１または複数の物理セル識別子の評価に少なくとも部分的に基づいて、アクセス・ポイントの第１の物理セル識別子かグローバル・セル識別子かのどちらかの後続するレポートを示し、前記１または複数の物理セル識別子は前記第１の物理セル識別子とコンフリクトするかを判定するアクセス・シーケンスのセットを明らかにさせるためのコードと、
前記少なくとも１つのコンピュータに対して、アクセス・シーケンスを備えるシステム・アクセス要求をモバイル・デバイスから受信させるためのコードと、
前記少なくとも１つのコンピュータに対して、前記アクセス・シーケンスのセットにおいてアクセス・シーケンスを位置決めすることに少なくとも部分的に基づいて、後続するグローバル・セル識別子のレポートを判定させるためのコードと
を備え、
前記グローバル・セル識別子は、前記第１の物理セル識別子よりも、送信のためにより多くのリソースを必要とするコンピュータ・プログラム製品。
【請求項４７】
前記コンピュータ読取可能媒体は、前記少なくとも１つのコンピュータに対して、前記グローバル・セル識別子の後続するレポートを判定することに基づいて、前記グローバル・セル識別子を送信するために十分なリソースを前記モバイル・デバイスへ割り当てさせるためのコードをさらに備える請求項４６に記載のコンピュータ・プログラム製品。
【請求項４８】
装置であって、
１または複数の他のアクセス・ポイントの１または複数の物理セル識別子の評価に少なくとも部分的に基づいて、グローバル・セル識別子をレポートすることを備える後続するグローバル・セル識別子レポートか、第１の物理セル識別子をレポートすることを備える物理セル識別子レポートかのどちらかを示し、前記１または複数の物理セル識別子が前記第１の物理セル識別子とコンフリクトするかを判定することに関連するアクセス・シーケンスのセットを提供するアクセス・シーケンス構成要素と、
前記アクセス・シーケンスを含むアクセス要求をモバイル・デバイスから取得し、前記アクセス・シーケンスに少なくとも部分的に基づいて、アクセス・ポイントのグローバル・セル識別子を送信するためのリソースを前記モバイル・デバイスへ許可するアクセス要求構成要素と
を備え、
前記グローバル・セル識別子は、前記第１の物理セル識別子よりも、送信のためにより多くのリソースを必要とする装置。
【請求項４９】
前記許可されたリソースによって、前記モバイル・デバイスから前記アクセス・ポイントのグローバル・セル識別子を取得するグローバル・セル識別子受信構成要素をさらに備える請求項４８に記載の装置。
【請求項５０】
前記モバイル・デバイスに関する情報を、前記グローバル・セル識別子を用いて、前記アクセス・ポイントから受信するソース通信構成要素をさらに備える請求項４９に記載の装置。
【発明の詳細な説明】
【優先権主張】
【０００１】
本特許出願は、２００８年６月２３日に出願され“ＳＹＳＴＥＭＳ  ＡＮＤ  ＭＥＴＨＯＤＳ  ＴＯ  ＥＮＡＢＬＥ  ＵＳＥ  ＯＦ  Ａ  ＲＡＣＨ  ＡＣＣＥＳＳ  ＳＥＱＵＥＮＣＥ  ＴＯ  ＲＥＱＵＥＳＴ  ＵＰＬＩＮＫ  ＲＥＳＯＵＲＣＥＳ  ＩＮ  ＧＣＩ  ＲＥＰＯＲＴＩＮＧ  ＩＮ  ＷＩＲＥＬＥＳＳ  ＮＥＴＷＯＲＫＳ”と題された仮出願６１／０７４，９５７号への優先権を主張する。この仮出願は、本願の譲受人に譲渡されており、本明細書において参照によって明確に組み込まれている。
【技術分野】
【０００２】
以下の記載は、一般に、無線通信に関し、さらに詳しくは、ヘテロジニアスなネットワーク構成において、アクセス・ポイントをユニークに識別することに関する。
【背景技術】
【０００３】
無線通信システムは、例えば、音声、データなどのようなさまざまなタイプの通信コンテンツを提供するために広く開発された。一般的な無線通信システムは、（例えば、帯域幅、送信電力などのような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムなどを含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
一般に、無線多元接続通信システムは、複数のモバイル・デバイスのための通信を同時にサポートすることができる。モバイル・デバイスはそれぞれ、順方向リンクおよび逆方向リンクにおける送信によって、１または複数のアクセス・ポイント（例えば、基地局）と通信することができる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システムなどによって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００５】
ヘテロジニアスなネットワーク構成では、ピコセル・アクセス・ポイントまたはフェムトセル・アクセス・ポイントのような小規模なアクセス・ポイントが、（例えば、マクロセル・アクセス・ポイントのセクタ内のような）１または複数のマクロセル・アクセス・ポイントの近傍内で無線ネットワーク・アクセスを提供しうる。モバイル・デバイスは、マクロセル・アクセス・ポイントおよび／または小規模なアクセス・ポイントと通信することができ、有効通信範囲領域にわたって移動しているとき、さまざまな考慮に基づいて、別のマクロセルまたは小規模なアクセス・ポイントを再選択しうる（例えば、別のアクセス・ポイントへと通信をハンドオーバしうる）。ハンドオーバ中、ソース・アクセス・ポイントは、（例えば、コンテキストおよび／またはその他の情報のような）通信によるハンドオーバを容易にするために、その物理セル識別子（ＰＣＩ）にしたがって、ターゲット・アクセス・ポイントと通信しうる。しかしながら、ヘテロジニアスな構成では、近隣のアクセス・ポイントが同じＰＣＩを有する可能性がますます高くなる。ソースおよび／またはターゲットであるアクセス・ポイントが、範囲内の異なるアクセス・ポイントと同じＰＣＩを有する場合、ソース・アクセス・ポイントが、ハンドオーバあるいはその他の間にターゲット・アクセス・ポイントと通信する際に、混乱またはコンフリクトが生じうる。
【発明の概要】
【０００６】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の態様および対応する開示によれば、ハンドオーバまたはその他の手順中に、コンフリクトする可能性のある物理セル識別子（ＰＣＩ）を有するアクセス・ポイントを含む選択されたアクセス・ポイントのために、グローバル・セル識別子（ＧＣＩ）をレポートすることを容易にすることに関連するさまざまな態様が記載される。特に、モバイル・デバイスは、システム・アクセス・シーケンスを選択することに少なくとも部分的に基づいて、１つのアクセス・ポイントのＧＣＩを、別のアクセス・ポイントへレポートしうる。例えば、モバイル・デバイスが、指定されたグループからのアクセス・シーケンスを用いて、アクセス・ポイントからのシステム・アクセスを要求する場合、これは、例えば、モバイル・デバイスが、後続するメッセージによって、別のアクセス・ポイントに関連するＧＣＩ情報を提供するつもりであることをアクセス・ポイントに示しうる。したがって、アクセス・ポイントは、ＧＣＩを提供するための追加のリソースをモバイル・デバイスへ許可しうる。例えば、ハンドオーバのコンテキストでは、ターゲット・アクセス・ポイントは、ターゲット・アクセス・ポイントのＰＣＩにコンフリクトの可能性があるにも関わらず、ソース・アクセス・ポイントと直接的に通信するためにＧＣＩを利用しうる。したがって、この例では、ハンドオーバ中のＰＣＩの混乱が緩和される。
【０００８】
関連する態様によれば、アクセス・ポイントに関連するＧＣＩを別のアクセス・ポイントへ送信するかを判定することを含む方法が提供される。この方法はさらに、システム・アクセス要求の一部として、ＧＣＩを別のアクセス・ポイントへレポートすることを示すことと、このシステム・アクセス要求を、別のアクセス・ポイントへ送信することとを含む。
【０００９】
別の態様は、無線通信装置に関する。この無線通信装置は、システム・アクセス要求において、ソース・アクセス・ポイントに関するＧＣＩレポートが要求されているかを示し、システム・アクセス要求を、ターゲット・アクセス・ポイントへ送信するように構成された少なくとも１つのプロセッサを含みうる。無線通信装置はまた、少なくとも１つのプロセッサに接続されたメモリをも備える。
【００１０】
別の態様は、アクセス・ポイントのグローバル・セル識別子（ＧＣＩ）を別のアクセス・ポイントへレポートするかを判定する手段と、後続するＧＣＩレポートを示すインジケーションを備えるシステム・アクセス要求を別のアクセス・ポイントへ送信し、リソース割当を備えるシステム・アクセス応答を受信する手段を含む装置に関連する。
【００１１】
また別の態様は、少なくとも１つのコンピュータに対して、アクセス・ポイントに関連するＧＣＩを別のアクセス・ポイントへ送信するかを判定させるためのコードを含むコンピュータ読取可能媒体を有するコンピュータ・プログラム製品に関連する。このコンピュータ読取可能媒体はさらに、少なくとも１つのコンピュータに対して、システム・アクセス要求の一部として、ＧＣＩを別のアクセス・ポイントへレポートすることを示させるためのコードを備えうる。さらに、このコンピュータ読取可能媒体は、少なくとも１つのコンピュータに対して、システム・アクセス要求を別のアクセス・ポイントへ送信させるためのコードを備えうる。
【００１２】
さらに、追加の態様は装置に関する。この装置は、アクセス・ポイントのＧＣＩを別のアクセス・ポイントへレポートするかを見分けるＧＣＩ判定構成要素を含みうる。この装置はさらに、後続するＧＣＩレポートを示すインジケーションを備えるシステム・アクセス要求を別のアクセス・ポイントへ送信し、リソース割当を備えるシステム・アクセス要求を受信するシステム・アクセス構成要素を含む。
【００１３】
他の態様によれば、ローカル・タイプ、アクセス・ポイントのタイプ、または、１または複数の周囲の別のアクセス・ポイントのタイプに少なくとも部分的に基づいて、アクセス・ポイントのＧＣＩのその後のレポートを示すアクセス・シーケンスのセットを明らかにすることを含む方法が提供される。この方法はさらに、アクセス・シーケンスを備えるシステム・アクセス要求をモバイル・デバイスから受信することと、アクセス・シーケンスのセットにおいてアクセス・シーケンスを位置決めすることに少なくとも部分的に基づいて、後続するＧＣＩのレポートを判定することとを含む。
【００１４】
別の態様は、無線通信装置に関する。この無線通信装置は、ローカル・タイプ、または、１または複数の周囲の別のアクセス・ポイントのタイプに少なくとも部分的に基づいて、１または複数のモバイル・デバイスから、後続するＧＣＩレポートを受信することに対応するアクセス・シーケンスのセットを提供するように構成された少なくとも１つのプロセッサを含みうる。この少なくとも１つのプロセッサはさらに、アクセス・シーケンスを含むシステム・アクセス要求をモバイル・デバイスから受信し、アクセス・シーケンスのセットにおいてアクセス・シーケンスを識別することに少なくとも部分的に基づいて、ＧＣＩレポートが要求されるかを見分けるように構成されている。無線通信装置はまた、少なくとも１つのプロセッサに接続されたメモリをも備える。
【００１５】
また別の態様は、ローカル・タイプ、または、１または複数の周囲の別のアクセス・ポイントのタイプに少なくとも部分的に基づいて、後続するＧＣＩレポートを示すことに関連するアクセス・シーケンスのセットを提供する手段を含む装置に関連する。この装置はまた、アクセス・シーケンスを含むアクセス要求をモバイル・デバイスから取得し、アクセス・シーケンスに少なくとも部分的に基づいて、アクセス・ポイントのＧＣＩを送信するためのリソースをモバイル・デバイスに対して許可する手段を含む。
【００１６】
また別の態様は、少なくとも１つのコンピュータに対して、ローカル・タイプ、または、１または複数の周囲の別のアクセス・ポイントのタイプに少なくとも部分的に基づいて、アクセス・ポイントのＧＣＩのその後のレポートを示すアクセス・シーケンスのセットを明らかにさせるためのコードを含むコンピュータ読取可能媒体を有しうるコンピュータ・プログラム製品に関する。コンピュータ読取可能媒体はまた、少なくとも１つのコンピュータに対して、アクセス・シーケンスを備えるシステム・アクセス要求をモバイル・デバイスから受信させるためのコードを備えうる。さらに、コンピュータ読取可能媒体は、少なくとも１つのコンピュータに対して、アクセス・シーケンスのセットにおいてアクセス・シーケンスを位置決めすることに少なくとも部分的に基づいて、後続するＧＣＩのレポートを判定させるためのコードを備えうる。
【００１７】
さらに、さらなる態様は、装置に関する。この装置は、ローカル・タイプ、または、１または複数の周囲の別のアクセス・ポイントのタイプに少なくとも部分的に基づいて、後続するＧＣＩレポートを示すことに関連するアクセス・シーケンスのセットを提供するアクセス・シーケンス構成要素を含みうる。この装置はさらに、アクセス・シーケンスを含むアクセス要求をモバイル・デバイスから取得し、アクセス・シーケンスに少なくとも部分的に基づいて、アクセス・ポイントのＧＣＩを送信するためのリソースをモバイル・デバイスに対して許可するアクセス要求構成要素を含む。
【００１８】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用されるさまざまな方式の極く一部を示すのみであり、本記載は、そのような態様およびこれら均等物のすべてを含むことが意図されている。
【図面の簡単な説明】
【００１９】
【図１】図１は、本明細書に記載されたさまざまな態様にしたがう無線通信システムの実例である。
【図２】図２は、本明細書に記載された態様にしたがう無線通信ネットワークの実例である。
【図３】図３は、無線通信環境において適用される通信装置の実例である。
【図４】図４は、ＧＣＩレポートを示すことを有効にする無線通信システムの例を示す。
【図５】図５は、システム・アクセス手順におけるＧＣＩレポートを示すことを容易にするシステムの例を示す。
【図６】図６は、後続する送信におけるＧＣＩレポートを示す方法の実例である。
【図７】図７は、後続する送信におけるＧＣＩのレポートのためのリソースを提供する方法の実例である。
【図８】図８は、システム・アクセスおよびＧＣＩレポートを要求するモバイル・デバイスの実例である。
【図９】図９は、ＧＣＩを示すためのシステム・アクセス・リソースを提供するシステムの実例である。
【図１０】図１０は、本明細書に記載されたさまざまなシステムおよび方法と共に適用されうる無線ネットワーク環境の実例である。
【図１１】図１１は、ＧＣＩレポートおよび後続するＧＣＩ送信を示すシステムの実例である。
【図１２】図１２は、割り当てられたリソースによってＧＣＩを受信するシステムの実例である。
【発明を実施するための形態】
【００２０】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００２１】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかである  コンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２２】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００２３】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２４】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２５】
さまざまな態様または特徴が、多くのデバイス、構成要素、モジュールなどを含むシステムの観点から示されるだろう。さまざまなシステムが、追加のデバイス、構成要素、モジュールなどを含むことができるか、および／または、図面に関連して説明されたデバイス、構成要素、モジュールなどの必ずしも全てを含んでいる訳ではないことが理解され、認識されるべきである。これらアプローチの組み合わせもまた使用されうる。
【００２６】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２７】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２８】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６およびモバイル・デバイス１２２は、ピア・ツー・ビアまたはアド・ホック技術（図示せず）を使用して、互いとダイレクトに通信しうる。
【００２９】
例によれば、システム１００は、複数入力複数出力（ＭＩＭＯ）通信システムでありうる。さらに、システム１００は、例えばＦＤＤ、ＦＤＭ、ＴＤＤ、ＴＤＭ、ＣＤＭなどのような通信チャンネル（例えば、順方向リンク、逆方向リンク）を分割する実質的に任意のタイプのデュプレクス技術を利用しうる。さらに、通信チャンネルは、チャネルによる複数のデバイスとの同時通信を可能にするために直交化されうる。この観点から、一例において、ＯＦＤＭが利用されうる。したがって、チャネルは、期間にわたる周波数の区分に分割されうる。さらに、フレームは、期間の集合にわたる周波数の区分として定義される。したがって、例えば、フレームは、多くのＯＦＤＭシンボルを含みうる。基地局１０２は、さまざまなタイプのデータのために作成されうるチャネルによってモバイル・デバイス１１６、１２２に通信することができる。例えば、チャネルは、さまざまなタイプの一般的な通信データ、制御データ（例えば、他のチャネルのための品質情報、チャネルで受信されたデータのためのアクノレッジメント・インジケータ、干渉情報、基準信号など）などを通信するために作成されうる。
【００３０】
一例において、基地局１０２は、マクロ・セル基地局あるいは小規模アクセス・ポイント（例えば、フェムトセル・アクセス・ポイント、ピコセル・アクセス・ポイント、中継ノードなど）でありうる。いずれの場合も、基地局１０２は、モバイル・デバイス１１６および／またはモバイル・デバイス１２２が基地局１０２へ最初に接続するために利用しうる複数のアクセス・シーケンスを提供しうる。一例において、モバイル・デバイス１１６および／またはモバイル・デバイス１２２は、（例えばハンドオーバ中またはそれ以外の間に）基地局１０２に最初に接続すると、（図示しない）別の基地局に関する情報を基地局１０２へ通信しうる。この点に関し、モバイル・デバイス１１６および／または１２２、および／または別の基地局は、別の基地局を識別するための情報に関連して、グローバル・セル識別子（ＧＣＩ）を用いるか、あるいは物理セル識別子（ＰＣＩ）を用いるかを判定しうる。この判定は、限定される訳ではないが、別の基地局のタイプ、基地局１０２のタイプ、１または複数の周囲の基地局のタイプ、周囲の基地局のＰＣＩの明確な決定など（例えば、ＰＣＩが、周囲の基地局のＰＣＩと混乱しうる場合）を含むさまざまな要因に基づきうる。
【００３１】
ＰＣＩの代わりに、あるいはＰＣＩに加えて、ＧＣＩを通信することは、ＰＣＩを単独で送信するよりも多くのリソースを必要としうる。したがって、モバイル・デバイス１１６および／またはモバイル・デバイス１２２は、基地局１０２へのシステム・アクセス要求で、後続する通信においてＧＣＩを送信することを示しうる。一例において、これは、モバイル・デバイス１１６および／またはモバイル・デバイス１２２、あるいは、システム・アクセス・シーケンスが関連付けられたグループによって選択されたシステム・アクセス・シーケンスによって示されうる。しかしながら、これは、さらに、あるいは、その代わりに、システム・アクセス要求または別のメッセージにおけるビットに対応しうることが認識されるべきである。基地局１０２が、（例えば、システム・アクセス応答で）モバイル・デバイス１１６および／またはモバイル・デバイス１２２に追加のリソースを許可する場合、モバイル・デバイス１１６および／またはモバイル・デバイス１２２は、それにしたがって、（例えば、スケジュールされた送信またはその他のメッセージによって）基地局１０２へＧＣＩを送信しうる。したがって、基地局１０２は、例えば、モバイル・デバイス１１６および／またはモバイル・デバイス１２２によるアクセス手順の間、またはそれに続いて、別のアクセス・ポイントと通信するために、このＧＣＩを利用しうる。
【００３２】
次に、図２に示すように、多くのモバイル・デバイスをサポートするように構成された無線通信システム２００が例示される。このシステム２００は、例えば、それぞれ対応するアクセス・ポイント２０４Ａ−２０４Ｇによってサービス提供されるマクロセル２０２Ａ−２０２Ｇのような複数のセルのための通信を提供しうる。例えば、説明するように、マクロセル２０２Ａ−２０２Ｇに関連するアクセス・ポイント２０４Ａ−２０４Ｇは、基地局でありうる。モバイル・デバイス２０６Ａ−２０６Ｉは、無線通信システム２００の全体にわたるさまざまな場所に分布するように示されている。モバイル・デバイス２０６Ａ−２０６Ｉのおのおのは、説明するように、順方向リンクおよび／または逆方向リンクで、１または複数のアクセス・ポイント２０４Ａ−２０４Ｇと通信しうる。さらに、アクセス・ポイント２０８Ａ−２０８Ｅが示されている。これらは、説明するように、例えばフェムトセル・アクセス・ポイント、ピコセル・アクセス・ポイント、中継ノード、モバイル基地局のような小規模アクセス・ポイントであり、特定のサービス位置に関連するサービスを提供する。モバイルデバイス２０６Ａ−２０６Ｉは、さらに、あるいは、その代わりに、提供されたサービスを受信するために、これら小規模アクセス・ポイント２０８Ａ−２０８Ｅと通信しうる。無線通信システム２００は、一例において、大規模な地理的領域にわたってサービスを提供しうる（例えば、マクロセル２０２Ａ−２０２Ｇが、近隣の数ブロックをカバーし、小規模アクセス・ポイント２０８Ａ−２０８Ｅが、例えば、説明するように住宅、オフィス・ビルディング等のようなエリアに存在しうる）。一例において、モバイル・デバイス２０６Ａ−２０６Ｉは、オーバ・ザ・エアによって、および／または、バックホール接続によって、アクセス・ポイント２０４Ａ−２０４Ｇおよび／または２０８Ａ−２０８Ｅとの接続を確立しうる。
【００３３】
例によれば、モバイル・デバイス２０６Ａ−２０６Ｉは、モバイル・ネットワークの全体にわたって移動し、さまざまなアクセス・ポイント２０４Ａ−２０４Ｇ、２０８Ａ−２０８Ｅによって提供されるセルを再選択しうる。例えば、ターゲット・アクセス・ポイントに近接しているため、ターゲット・アクセス・ポイントによって提供されるサービスのため、ターゲット・アクセス・ポイントによってサポートされるプロトコルまたは規格のため、ターゲット・アクセス・ポイントに関連付けられた好ましい課金等のようなさまざまな理由によって、ハンドオーバが実行されうる。一例において、モバイル・デバイス２０６Ｄは、アクセス・ポイント２０４Ｄと通信しており、指定された近接範囲内である場合、あるいは、その測定された信号強度内である場合、小規模アクセス・ポイント２０８Ｃへのハンドオーバが開始されうる。小規模アクセス・ポイント２０８Ｃの再選択を容易にするために、ソース・アクセス・ポイント２０４Ｄは、例えば、通信の継続に関連するコンテキストまたはその他の情報のように、モバイル・デバイス２０６Ｄに関する情報を、ターゲットである小規模アクセス・ポイント２０８Ｃへ送信しうる。したがって、ターゲットである小規模アクセス・ポイント２０８Ｃは、アクセス・ポイント２０４Ｄからのシームレスなハンドオーバを容易にするために、このコンテキスト情報に基づいて、モバイル・デバイス２０６Ｄへ無線ネットワーク・アクセスを提供しうる。
【００３４】
一例において、ソース・アクセス・ポイント２０４Ｄは、モバイル・デバイス２０８Ｄから取得されうるＰＣＩを用いて、ターゲットである小規模アクセス・ポイント２０８Ｃへとこのコンテキスト情報を通信しうる。しかしながら、複数の小規模アクセス・ポイントを備えた構成では、小規模アクセス・ポイント２０８ＤのＰＣＩは、ユニークではないかもしれない。この例において、モバイル・デバイス２０６Ｄは、小規模アクセス・ポイント２０８Ｄと通信し、小規模アクセス・ポイント２０８Ｃまたはマクロセル・アクセス・ポイント２０４Ｄへハンドオーバしうる。しかしながら、小規模アクセス・ポイント２０８Ｄは、小規模アクセス・ポイント２０８Ｅと同一または類似のＰＣＩを有しうるので、コンテキスト情報を通信する場合に、ターゲットである小規模アクセス・ポイント２０８Ｃまたはターゲットであるマクロセル・アクセス・ポイント２０４Ｄに対して混乱を引き起こす。この点において、モバイル・デバイス２０６Ｄは、ハンドオーバ中のＰＣＩの混乱を緩和するために、ソースである小規模アクセス・ポイント２０８ＤのＧＣＩを、ターゲットである小規模アクセス・ポイント２０８Ｃまたはマクロセル・アクセス・ポイント２０４Ｄへ提供しうる。
【００３５】
例によれば、モバイル・デバイス２０６Ｄは、ソース・アクセス・ポイント２０８Ｄおよび／またはターゲット・アクセス・ポイント２０８Ｃまたは２０８Ｄが、小規模アクセス・ポイント（例えば、ＰＣＩの混乱をもたらすアクセス・ポイント）であるかを判定することに少なくとも部分的に基づいて、ターゲットである小規模アクセス・ポイント２０８ＣへＧＣＩを提供するかを判定しうる。提供すべきと判定された場合、モバイル・デバイス２０６Ｄは、ソース・アクセス・ポイント２０８ＤのＧＣＩを送信することを示しうる。一例において、これを示すことは、システム・アクセス要求中にモバイル・デバイス２０６Ｄによって選択された、ターゲットである小規模アクセス・ポイント２０６Ｃまたはマクロセル・アクセス・ポイント２０６Ｄのアクセス・シーケンス、モバイル・デバイス２０６Ｄによって指定されたビット等に対応しうる。これを示すことに基づいて、ターゲットである小規模アクセス・ポイント２０８Ｃまたはマクロセル・アクセス・ポイント２０４Ｄは、ＧＣＩを通信することを容易にするために、モバイル・デバイス２０８Ｄに対して追加のリソースを割り当てる。そして、モバイル・デバイス２０６Ｄは、スケジュールされた後続の送信において、ＧＣＩを通信しうる。
【００３６】
このＧＣＩを用いて、ターゲットである小規模アクセス・ポイント２０８Ｃまたはマクロセル・アクセス・ポイント２０４Ｄは、例えば、ソース・アクセス・ポイント２０８Ｄから、コンテキスト・モバイル・デバイス情報を取得しうる。ターゲットである小規模アクセス・ポイント２０８Ｃまたはマクロセル・アクセス・ポイント２０８Ｄによって、ＧＣＩレポートが可能なるか、あるいは可能にならない（例えば、ＧＣＩのレポートを示すためのシーケンスのセットを提供するか、あるいは、そのようなシーケンスを提供しない）ことが認識されるべきである。これは、一例において、アクセス・ポイント２０８Ｃまたは２０８Ｄ、および／または、周囲の別のアクセス・ポイントのタイプに少なくとも部分的に基づきうる。これは、周囲のアクセス・ポイント等のＰＣＩを評価する。例えば、ターゲット・アクセス・ポイントがマクロセル・アクセス・ポイントである場合、マクロセル・アクセス・ポイントＰＣＩは、近隣のマクロセル・アクセス・ポイントによって混乱されないだろうから、ＧＣＩレポートがサポートされる必要はない。しかしながら、例えば、ハンドオーバ中、紛らわしいＰＣＩを有しうる小規模アクセス・ポイントとの通信のために、少数のＧＣＩレポート・アクセス・シーケンスが、マクロセル・アクセス・ポイントによってサポートされうる。
【００３７】
図３に移って、無線通信環境内で適用される通信装置３００が例示される。通信装置３００は、モバイル・デバイスあるいはその一部でありうるか、または、無線ネットワークへのアクセスを受信する実質的に任意の通信装置でありうる。通信装置３００は、（図示しない）別のアクセス・ポイントと通信する場合に、（図示しない）アクセス・ポイントのＧＣＩがレポートされるべきかを見分けるＧＣＩ判定構成要素３０２と、後続するＧＣＩのレポートを示すＧＣＩレポート・インジケーション構成要素３０４と、ＧＣＩをレポートしうるＧＣＩレポート構成要素３０６とを含む。
【００３８】
例によれば、通信装置３００は、（例えば、ハンドオーバまたはその他の一部として）アクセス・ポイントとの通信を開始しうる。現在のアクセス・ポイントとの通信の開始時または開始前に、ＧＣＩ判定構成要素３０２は、現在のアクセス・ポイントへのアクセスを要求する場合、前のアクセス・ポイントのＧＣＩを含めるかを決定しうる。一例において、前のアクセス・ポイントは、ハンドオーバ中のソース・アクセス・ポイントであり、現在のアクセス・ポイントは、ターゲット・アクセス・ポイントでありうる。したがって、ＧＣＩ判定構成要素３０２は、説明するように、通信装置３００に関するコンテキスト情報を通信することを容易にするために、ソース・アクセス・ポイントのＧＣＩを含めるかを見分ける。
【００３９】
ＧＣＩ判定構成要素３０２は、前のアクセス・ポイントのタイプ、現在のアクセス・ポイントのタイプ、周囲のアクセス・ポイントのタイプ、ネットワーク・アクティビティまたはトラフィック、サポートされているシステム・アクセス・シーケンス等に少なくとも部分的に基づいて、前のアクセス・ポイントのＧＣＩを含めるかを決定しうる。ＧＣＩがレポートされるべきであるとＧＣＩ判定構成要素３０２が指定した場合、ＧＣＩレポート・インジケーション構成要素３０４は、このことを、（例えば、システム・アクセス要求の一部、あるいは、その他の通信開始メッセージとして）現在のアクセス・ポイントへ示しうる。ＧＣＩを送信することは、通信装置３００に割り当てられるより多くのリソースが必要であるので、現在のアクセス・ポイントを通知することは、望ましい。一例において、これは、明示的または暗黙的なインジケーションであり、後者の例では、ＧＣＩレポートが、ＧＣＩレポート・インジケーション構成要素３０４によって指定され、現在のアクセス・ポイントへのシステム・アクセスを要求するために選択されたシステム・アクセス・シーケンスに基づいて、現在のアクセス・ポイントによって推論される。さらに、ＧＣＩレポート・インジケーション構成要素３０４は、ＧＣＩを送信するためのリソースを受信し、一例において、ＧＣＩレポート構成要素３０６が、これにしたがって、このリソースによって現在のアクセス・ポイントへＧＣＩを送信しうる。
【００４０】
図４には、ＰＣＩの混乱を緩和するために、別のアクセス・ポイントと通信している場合、アクセス・ポイントのＧＣＩをレポートすることを容易にする無線通信システム４００が例示される。無線デバイス４０２は、（独立して電力が投入されるデバイスのみならず、例えば、モデムを含む）モバイル・デバイス、基地局、および／またはその一部、または実質的に任意の無線デバイスでありうる。ターゲット・アクセス・ポイント４０４およびソース・アクセス・ポイント４０６は、基地局、フェムトセル・アクセス・ポイント、ピコセル・アクセス・ポイント、中継ノード等でありうる。さらに、システム４００は、ＭＩＭＯシステムであるか、および／または、１または複数の無線ネットワーク・システム仕様（例えば、ＥＶ−ＤＯ、３ＧＰＰ、３ＧＰＰ２、３ＧＰＰ  ＬＴＥ、ＷｉＭＡＸ等）に準拠しており、無線デバイス４０２とアクセス・ポイント４０４、４０６との間の通信を容易にするための追加構成を備えうる。
【００４１】
無線デバイス４０２は、一例において、無線ネットワーク・アクセスを受け取るために、ソース・アクセス・ポイント４０６と通信し、ターゲット・アクセス・ポイント４０４へのハンドオーバが開始されうる。無線デバイス４０２は、ハンドオーバ中に、ソース・アクセス・ポイントのＧＣＩをターゲット・アクセス・ポイントへレポートするかを決定するＧＣＩ判定構成要素３０２と、ターゲット・アクセス・ポイントからシステム・アクセスを要求し、適用可能な場合、ソース・アクセス・ポイントのＧＣＩをレポートするかを指定するシステム・アクセス構成要素４０８と、ソース・アクセス・ポイントのＧＣＩをターゲット・アクセス・ポイントへ送信するＧＣＩレポート・構成要素３０６とを含みうる。
【００４２】
ターゲット・アクセス・ポイント４０４は、ターゲット・アクセス・ポイント４０４との通信を開始するために利用されるシステム・アクセス・シーケンスのセットを指定するアクセス・シーケンス構成要素４１０と、無線デバイスからアクセス・シーケンスを受信し、このシーケンスにしたがってリソースを割り当てるアクセス要求構成要素４１２と、ハンドオーバ中に、無線デバイスからソース・アクセス・ポイントのＧＣＩを取得しうるＧＣＩ受信構成要素４１４と、ＧＣＩを用いて、ソース・アクセス・ポイントと連絡するソース通信構成要素４１６とを含みうる。さらに、ソース・アクセス・ポイント４０６は、ハンドオーバを容易にするために、無線デバイスに関するコンテキスト情報をターゲット・アクセス・ポイントへ通信するデバイス・コンテキスト構成要素４１８を含みうる。
【００４３】
例によれば、説明するように、無線デバイス４０２の、ソース・アクセス・ポイント４０６からターゲット・アクセス・ポイント４０４へのハンドオーバが開始されうる。これは、例えば、アクセス・ポイント４０４、４０６に関する位置、アクセス・ポイントによって提供されるサービス、課金、アクセス・ポイント４０４、４０６のサービス・プロバイダ、アクセス・ポイント・タイプ等のようなさまざまな要因によって生じうる。ＧＣＩ判定構成要素３０２は、説明するように、ハンドオーバにおけるＰＣＩの混乱を緩和するために、ソース・アクセス・ポイント４０８のＧＣＩを、ターゲット・アクセス・ポイント４０４へレポートするかを見分ける。例えば、ＧＣＩ判定構成要素３０２は、ソース・アクセス・ポイント４０６のタイプ、および／または、ターゲット・アクセス・ポイント４０４のタイプに基づいて、ＧＣＩへレポートすべきかを決定する。アクセス・ポイント４０４またはアクセス・ポイント４０６のうちの１つが、ＰＣＩの混乱を被るタイプ（例えば、フェムトセルまたはピコセルのアクセス・ポイント）である場合、ＧＣＩ判定構成要素３０２は、ＧＣＩレポートを指定しうる。この判定は、例えば、周囲の他のアクセス・ポイントのタイプ、無線デバイス４０２の位置におけるアクセス・ポイントまたはネットワーク・デバイスの雑音レベル、周囲のアクセス・ポイントの明示的なＰＣＩ等のような追加の要因または別の要因に対しても同様になされうる。
【００４４】
さらに、他の例においては、ソース・アクセス・ポイント４０６および／またはターゲット・アクセス・ポイント４０４が、無線デバイス４０２に対して、ソース・アクセス・ポイント４０６のＧＣＩを指定することを要求するか、および／または、ＧＣＩ判定構成要素３０２が、ネットワーク仕様、設定、オーバ・ザ・エア・シグナリング等にしたがってＧＣＩレポートを示しうることが認識されるべきである。アクセス・シーケンス構成要素４１０は、ターゲット・アクセス・ポイント４０４との通信を確立するために利用されうるアクセス・シーケンスを提供しうる。一例において、アクセス・シーケンス構成要素４１０は、ターゲット・アクセス・ポイント４０４へ追加情報を示すためにいくつかのシーケンスが使用されるように、シーケンスのグルーピングを実施しうる。例えば、ＬＴＥでは、アクセス・シーケンス構成要素４１０は、グループＡアクセス・シーケンスおよびグループＢアクセス・シーケンスを提供しうる。ここで、グループＢを選択することは、グループＡアクセス・シーケンスよりも多くのリソースを必要とすることを示す。一例において、アクセス・シーケンス構成要素４１０は、利用可能なシーケンスを無線デバイス４０２に明示または指示しうる。さらに、アクセス・シーケンスは、ネットワーク仕様、設定等にしたがって、ターゲット・アクセス・ポイント４０４と無線デバイス４０２との両方に知られている。
【００４５】
システム・アクセス構成要素４０８は、例えば、ＧＣＩ判定構成要素３０２によって見分けられるように、ＧＣＩがレポートされるべきであるかにしたがって、ターゲット・アクセス・ポイント４０４との通信を確立するためにアクセス・シーケンスを選択しうる。別の例では、無線デバイス４０２が、ＧＣＩをレポートするために必要なリソースを計算し、それにしたがって、アクセス・シーケンスを選択しうる。一例において、システム・アクセス構成要素４０８は、ＧＣＩがレポートされるべきである場合、グループＢアクセス・シーケンスを選択しうる。この点に関し、グループＢアクセス・シーケンスによって、無線デバイス４０２は、ＧＣＩを送信できるようになる。これは、グループＡアクセス・シーケンスに関して許可されたものよりも多くのリソースを必要としうる。アクセス要求構成要素４１２は、システム・アクセス構成要素４０８からシステム・アクセス・シーケンスを受信し、選択されたシーケンスにしたがって、無線デバイス４０２に対する送信リソースを許可しうる。アクセス要求構成要素４１２はまた、選択されたアクセス・シーケンスに少なくとも部分的に基づいて、ＧＣＩがレポートされるべきであるかを判定しうる。別の例において、システム・アクセス構成要素４０８は、システム・アクセス要求におけるビットを初期化して、後続するメッセージにおいてＧＣＩを送信していることを示すか、あるいは、ＧＣＩをレポートすることの実質的に任意の通知を利用しうる。そして、アクセス要求構成要素４１２は、それにしたがって、そのようなレポートを容易にするリソースを許可する。ＧＣＩレポート構成要素３０６は、その後、許可された送信リソースを用いて、（例えば、前の通信から無線デバイス４０２に知られた）ソース・アクセス・ポイント４０６のＧＣＩを送信し、ＧＣＩ受信構成要素４１４は、このＧＣＩを受信しうる。
【００４６】
ソース通信構成要素４１６は、ターゲット・アクセス・ポイント４０４への再選択を容易にするために、ＧＣＩを用いてソース・アクセス・ポイント４０６と通信し、無線デバイス４０２に関する情報を受信しうる。一例において、デバイス・コンテキスト構成要素４１８は、無線デバイス４０２との通信の継続を容易にするために、ターゲット・アクセス・ポイント４０４へと無線デバイス情報を提供しうる。したがって、ターゲット・アクセス・ポイント４０４とソース・アクセス・ポイント４０６との間のその後の通信を容易にするために、無線デバイス４０２が、システム・アクセス手順において、ソース・アクセス・ポイント４０６のターゲット・アクセス・ポイント４０４へのＧＣＩを指定できるようにすることによって、ハンドオーバ中におけるＰＣＩの混乱が緩和される。
【００４７】
さらに、アクセス・シーケンス構成要素４１０は、ターゲット・アクセス・ポイント４０４との接続の確立を実施または提供するアクセス・シーケンスを決定しうる。一例において、ターゲット・アクセス・ポイント４０４がマクロセル・アクセス・ポイントである場合、アクセス・シーケンス構成要素４１０は、フェムトセル・アクセス・ポイントほど多くのグループＢ（あるいは拡張リソース）シーケンスを提供しない。なぜなら、フェムトセル・アクセス・ポイントよりも、さまざまなデバイスによって利用される可能性が高いからである。しかしながら、さらに、ターゲット・アクセス・ポイント４０４が、関連するセル内に存在する多くのフェムトセル・アクセス・ポイントを備えるマクロセル・アクセス・ポイントである場合、アクセス・シーケンス構成要素４１０は、ハンドオーバに適応するために、例えば、ＧＣＩを用いて、多くのフェムトセル・アクセス・ポイントから、より多くのグループＢ（または拡張されたリソース）アクセス・シーケンスを提供することを決定しうる。これは、コンフリクトするＰＣＩをもたらす可能性が高い。
【００４８】
図５に移って、説明するように（例えば、ハンドオーバ時等において）無線ネットワークへのアクセスを要求することを容易にするシステム５００の例が示される。無線ネットワーク・アクセスを要求するために、ｅＮＢ５０４と通信するＵＥ５０２が示される。特に、ＵＥ５０２は、ｅＮＢにランダム・アクセス・プリアンブル５０６を送信しうる。説明するように、、ランダム・アクセス・プリアンブル５０６は、ソースまたはその他のｅＮＢのＧＣＩが、後続するメッセージにおいてレポートされるかを示すビットを備えうる。別の例では、説明するように、ランダム・アクセス・プリアンブル５０６が、システム・アクセス・シーケンスを指定するか、あるいは、システム・アクセス・シーケンスに関連付けられる。この選択は、ＧＣＩがその後、ＵＥ５０２によって送信されるかを示しうる。
【００４９】
ランダム・アクセス・プリアンブル５０６を受け取ると、ｅＮＢ５０４は、要求されたリソースをＵＥ５０２に対して許可するかを判定し、ＵＥ５０２に対してランダム・アクセス応答５０８を送信しうる。ランダム・アクセス応答５０８がリソース許可を含んでいる場合、ＵＥ５０２は、スケジュールされた送信５１０をｅＮＢへ送信しうる。レポートすることが示され、適切なリソースが受信された場合、スケジュールされた送信５１０は、ＧＣＩを含みうる。したがって、ｅＮＢ５０４は、スケジュールされた送信５１０でＧＣＩを受信し、ＵＥ５０２に関する情報を受信するために、このＧＣＩを用いて、ソース（またはその他の）アクセス・ポイントと通信する。５１２では、アクセス手順を完了させるために、コンテンション・リゾリューション・メッセージ５１２が、ＵＥ５０２へ送信されうる。
【００５０】
図６乃至図７を参照して、システム・アクセス要求においてＧＣレポートを示すことに関連する方法が例示される。説明の単純化の目的のために、これら方法は、一連の動作として示され説明されているが、これら方法は、いくつかの動作が、１または複数の態様にしたがって、別の順序で、および／または、本明細書で図示および記載されたものとは異なる動作と同時に生じうることが理解され認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００５１】
図６に移って、アクセス・ポイントへＧＣＩをレポートすることを示すことを容易にする方法６００の例が例示される。６０２では、アクセス・ポイントに関連するＧＣＩを別のアクセス・ポイントへ送信するかが判定されうる。例えば、ＰＣＩの混乱が起き易い場合、アクセス・ポイントとの通信を高めるために、ＰＣＩの代わりに、ＧＣＩが別のアクセス・ポイントへレポートされうる。混乱の可能性は、説明するように、１または複数の周囲のアクセス・ポイントのタイプ、および／または、アクセス・ポイントのタイプに基づいて判定されうる。６０４では、別のアクセス・ポイントへのＧＣＩのレポートが、システム・アクセス要求で示されうる。説明するように、ＧＣＩをレポートすることは、選択されたアクセス・シーケンス等にしたがって、ビットにおいて明示的に示されうる。６０６では、システム・アクセス要求が、別のアクセス・ポイントへ送信されうる。したがって、説明するように、別のアクセス・ポイントは、ＰＣＩを用いることによって引き起こされうる混乱なく、アクセス・ポイントと通信するために、ＧＣＩを利用しうる。
【００５２】
図７を参照して、後続するＧＣＩレポートの仕様を考慮するアクセス・シーケンスを提供することを容易にする方法７００の例が示される。７０２では、ＧＣＩの後続するレポートを示すためのアクセス・シーケンスのセットが明らかにされ、１または複数のモバイル・デバイスは、ＧＣＩを送信するかにしたがって、シーケンスを選択しうる。７０４では、アクセス・シーケンスを含むシステム・アクセス要求が、モバイル・デバイスから受信されうる。例によれば、説明するように、１つのグループが、より大きなリソース割当を要求する追加情報を指定することに関連するように、明らかにされたアクセス・シーケンスがグループ化されうる。７０６では、その後のＧＣＩのレポートが、アクセス・シーケンスのセットにおけるアクセス・シーケンスの位置決めを行うことに基づいて判定されうる。したがって、例えば、受信したアクセス・シーケンスが、ＧＣＩまたは（例えば、グループＢのような）追加の情報を送信するためにグループにある場合、後続するＧＣＩレポートが予定される。７０８では、ＧＣＩレポートを可能にする十分なリソースがあるかが判定されうる。あると判定されれば、７１０では、アクセス・ポイントのＧＣＩが、モバイル・デバイスからの後続する通信において受信されうる。あると判定されなかった場合、アクセス要求は、７１２で拒否されうる。
【００５３】
本明細書に記載された１または複数の態様にしたがって、ＧＣＩがレポートされるべきかを判定すること、ＧＣＩがレポートされるかを判定すること、後続するＧＣＩのレポートを示すインジケーションを判定すること等に関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５４】
図８は、システム・アクセス要求においてＧＣＩレポートを示すことを容易にするモバイル・デバイス８００の例示である。モバイル・デバイス８００は、例えば、（図示しない）受信アンテナから、１または複数のキャリアによって１または複数の信号を受信し、受信した信号について（例えば、フィルタ、増幅、ダウンコンバート等のような）一般的な動作を講じ、これら調整された信号をデジタル化して、サンプルを得る受信機８０２を備える。受信機８０２は、受信したシンボルを復調し、それらをチャネル推定のためにプロセッサ８０６へ提供する復調器８０４を備えうる。プロセッサ８０６は、受信機８０２によって受信された情報の分析、および／または、送信機８１８による送信のための情報の生成に特化されたプロセッサ、モバイル・デバイス８００の１または複数の構成要素を制御するプロセッサ、および／または、受信機８０２によって受信された情報の分析と、送信機８１８による送信のための情報の生成と、モバイル・デバイス８００の１または複数の構成要素の制御との両方を行うプロセッサでありうる。
【００５５】
モバイル・デバイス８００はさらに、メモリ８０８を備えうる。このメモリ８０８は、プロセッサ８０６に動作可能に接続されており、送信されるデータ、受信したデータ、利用可能なチャネルに関連する情報、分析された信号および／または干渉強度に関連付けられたデータ、割り当てられたチャネルに関連する情報、電力レート等、および、チャネルの推定およびチャネルによる通信のために適切なその他任意の情報を格納しうる。メモリ８０８はさらに、（例えば、パフォーマンス・ベース、キャパシティ・ベース等での）チャネルの推定および／または利用に関連付けられたアルゴリズムおよび／またはプロトコルを格納しうる。
【００５６】
本明細書に記載されたデータ・ストア（例えば、メモリ８０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ８０８は、限定される訳ではないが、これらおよびその他任意の適切なタイプのメモリを備えることが意図される。
【００５７】
プロセッサ８０６はさらに、ＧＣＩをアクセス・ポイントへレポートするかを見分けるＧＣＩ判定構成要素８１０に動作可能に接続されうる。ＧＣＩ判定構成要素８１０は、説明するように、ソース・アクセス・ポイントのＧＣＩをレポートするかを決定するために、ターゲット・アクセス・ポイント、ソース・アクセス・ポイント、または１または複数の周囲のアクセス・ポイントのタイプを確認しうる。プロセッサ８０６はさらに、ＧＣＩレポートを示すインジケーションを備えるシステム・アクセス要求をターゲット・アクセス・ポイントへと送信しうるシステム・アクセス構成要素８１２に動作可能に接続されうる。説明するように、このインジケーションは、アクセス要求におけるビット、システム・アクセス構成要素８１２によって選択されたアクセス・シーケンスに基づく暗黙的なインジケーション等を含みうる。システム・アクセス構成要素８１２はまた、通信を確立するため、および／または、システム・アクセス要求において示されている場合には、ＧＣＩを指定するために、ターゲット・アクセス・ポイントから、リソースを受信しうる。
【００５８】
さらに、プロセッサ８０６は、割り当てられたリソースによって、引き続きＧＣＩをレポートするＧＣＩレポート構成要素８１４に動作可能に接続されうる。モバイル・デバイス８００はさらに、信号を変調する変調器８１６と、この信号を例えば基地局、別のモバイル・デバイス等へ送信する送信機８１８とを備える。プロセッサ８０６と別に示されているが、それが評価されることになっている。復調器８０４、ＧＣＩ判定構成要素８１０、システム・アクセス構成要素８１２、ＧＣＩレポート構成要素８１４、および／または、変調器８１６は、プロセッサ８０６または複数のプロセッサ（図示せず）の一部でありうることが認識されるべきである。
【００５９】
図９は、ＧＣＩおよびＧＣＩレポートに関連するインジケーションをモバイル・デバイスから受信することを容易にするシステム９００の例示である。システム９００は、複数のアンテナ９０６を介して１または複数のモバイル・デバイス９０４から信号を受信する受信機９１０と、送信アンテナ９０８を介して１または複数のモバイル・デバイス９０４へ送信する送信機９２８とを備えた基地局（例えば、アクセス・ポイント）を備える。受信機９１０は、受信アンテナ９０６から情報を受信する。そして、受信した信号を復号するデスクランブラに動作可能に接続されている。さらに、復調器９１２は、デスクランブルされた受信信号を復調しうる。復調されたシンボルは、プロセッサ９１４によって分析される。このプロセッサ９１４は、図８に関連して上述されたプロセッサに類似しており、メモリ９１６に接続されている。このメモリは、信号（例えば、パイロット）強度および／または干渉強度を推定することに関連する情報、モバイル・デバイス９０４（または（図示しない）別の基地局）へ送信される／から受信されたデータ、および／または、本明細書に記載されたさまざまな動作および機能を実行することに関連するその他任意の適切な情報を格納する。
【００６０】
プロセッサ９１４はさらに、ＧＣＩまたはその他の追加データを送信するためのリソースを割り当てるために、少なくとも１つが指定されうる多くのアクセス・シーケンスを明らかにしうるアクセス・シーケンス構成要素９１８と、アクセス要求を受信し、この要求に基づいてリソースを割り当てるアクセス要求構成要素９２０と、別のアクセス・ポイントのＧＣＩを取得するＧＣＩ受信構成要素９２２と、別のアクセス・ポイントとの間の通信を容易にするために、ＧＣＩを利用することによって、別のアクセス・ポイントから情報を受信するソース通信構成要素９２４とに接続される。
【００６１】
例によれば、モバイル・デバイス９０４は、基地局９０２との通信を確立するために、アクセス・シーケンス構成要素９１８によって明らかにされたアクセス・シーケンスを選択しうる。アクセス要求構成要素９２０は、アクセス・シーケンスを備えるアクセス要求をモバイル・デバイス９０４から受信しうる。アクセス要求構成要素９２０は、アクセス・シーケンスに基づいて、モバイル・デバイス９０４との間の通信を容易にするために、モバイル・デバイス９０４へとリソースを割り当てうる（例えば、アクセス・シーケンスが明示的または暗黙的にＧＣＩレポートを示す場合、アクセス要求構成要素９２０は、ＧＣＩを引き続き受信するために十分なリソースを割り当てうる）。この点において、ＧＣＩ受信構成要素９２２は、（図示しない）ソース・アクセス・ポイントのＧＣＩを取得し、ソース通信構成要素９２４が、このＧＣＩを用いて、ソース・アクセス・ポイントへ／からデータを送信／受信しうる。この点において、ソース・アクセス・ポイントと通信するためにＧＣＩが利用されるので、ＰＣＩの混乱が緩和されうる。さらに、プロセッサ９１４と別に示されているが、復調器９１２、アクセス・シーケンス構成要素９１８、アクセス要求構成要素９２０、ＧＣＩ受信構成要素９２２、ソース通信構成要素９２４、および／または、変調器９２６は、プロセッサ９１４または（図示しない）複数のプロセッサの一部でありうることが認識されるべきである。
【００６２】
図１０は、無線通信システム１０００の例を示す。無線通信システム１０００は、簡潔さの目的で、１つの基地局１０１０と１つのモバイル・デバイス１０５０とを示している。しかしながら、システム１０００は、１より多い基地局、および／または、１より多いモバイル・デバイスを含むことができ、これら追加の基地局および／またはモバイル・デバイスは、以下に説明する基地局１０１０およびモバイル・デバイス１０５０の例と実質的に同じでも、別のものでもありうることが認識されるべきである。さらに、基地局１０１０および／またはモバイル・デバイス１０５０は、その間の無線通信を容易にするために、本明細書に記載されたシステム（図１−図４、図８−図９）、構成（図５）、および／または方法（図６−図７）を適用しうることが認識されるべきである。
【００６３】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符合化スキームに基づいて符号化し、インタリーブして、符合化されたデータを提供する。
【００６４】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１０５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０３０によって実行または提供される指示によって決定されうる。
【００６５】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな態様では、ＴＸ  ＭＩＭＯプロセッサ１０２０は、データ・ストリームのシンボル、および、シンボルが送信されるアンテナに対してビームフォーミング重みを適用する。
【００６６】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００６７】
モバイル・デバイス１０５０では、送信された変調された信号が、ＮＲ個のアンテナ１０５２ａ乃至１０５２ｒによって受信され、おのおののアンテナ１０５２からの受信信号が、受信機（ＲＣＶＲ）１０５４ａ乃至１０５４ｒそれぞれに提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６８】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００６９】
プロセッサ１０７０は、上述したように、どの事前符合化行列を使用するのかを定期的に決定する。さらに、プロセッサ１０７０は、行列インデクス部およびランク値部を備えた逆方向リンク・メッセージを規定することができる。
【００７０】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００７１】
基地局１０１０では、モバイル・デバイス１０５０からの変調信号が、アンテナ１０２４によって受信され、受信機１０２２によって調整され、復調器１０４０によって復調され、ＲＸデータ・プロセッサ１０４２によって処理されることにより、モバイル・デバイス１０５０によって送信された逆方向リンク・メッセージが抽出される。さらに、プロセッサ１０３０は、ビームフォーミング重みを決定するためにどの事前符合化行列を使用するかを決定するために、この抽出されたメッセージを処理する。
【００７２】
プロセッサ１０３０およびプロセッサ１０７０は、基地局１０１０およびモバイル・デバイス１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００７３】
本明細書に記載された態様は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７４】
これら態様は、ソフトウェア、ファームウェア、ミドルウェアまたはマイクロコード、プログラム・コードまたはコード・セグメントで実現さえる場合、これらは、記憶構成要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７５】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７６】
図１１に関して、無線通信において、後続するアクセス・ポイントＧＣＩレポートの通知を容易にするシステム１１００が例示される。例えば、システム１１００は、基地局、モバイル・デバイス等の中に少なくとも部分的に存在しうる。システム１１００は、プロセッサ、ソフトウェア、またはそれらの組み合わせ（例えば、ファームウェア）によって実現される機能を表す機能ブロックでありうる機能ブロックを含むものとして示されていることが認識されるべきである。システム１１００は、連携して動作しうる電子構成要素の論理グループ１１０２を含む。例えば、論理グループ１１０２は、アクセス・ポイントのＧＣＩを別のアクセス・ポイントへレポートするかを判定するための電子構成要素１１０４を含みうる。例えば、説明するように、ＧＣＩをレポートすることを示すことは、アクセス・ポイント、別のアクセス・ポイント、その他の周囲のアクセス・ポイント等のタイプに少なくとも部分的に基づいて判定されうる。例えば、アクセス・ポイントが小規模のアクセス・ポイントである場合、周囲のその他のアクセス・ポイントにょって引き起こされたＰＣＩの混乱を緩和するために、電子構成要素１１０４によって、後続するＧＣＩレポートが示される。
【００７７】
さらに、論理グループ１１０２は、後続するＧＣＩレポートを示すインジケーションを備えるシステム・アクセス要求を別のアクセス・ポイントへ送信し、リソース割当を備えるシステム・アクセス応答を受信するための電子構成要素１１０６を含みうる。したがって、説明するように、ＧＣＩレポートは、明示的に、あるいは（例えば、選択されたアクセス・シーケンスに基づいて）暗黙的に示され、ＧＣＩを送信するために、リソースが割り当てられるか、あるいは割り当てられない。この点に関して、論理グループ１１０２は、ＧＣＩをリソース割当によって別のアクセス・ポイントへ送信するための電子構成要素１１０８を含みうる。さらに、システム１１００は、電子構成要素１１０４、１１０６、１１０８に関連付けられた機能を実行するための命令群を保持するメモリ１１１０を含みうる。メモリ１１１０の外側にあるとして示されているが、電子構成要素１１０４、１１０６、１１０８のうちの１または複数がメモリ１１１０内に存在しうることが理解されるべきである。
【００７８】
図１２に関して、ＧＣＩおよび関連するインジケーションをモバイル・デバイスから受信するシステム１２００が例示される。例えば、システム１２００は、基地局、モバイル・デバイス等の中に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、ローカル・タイプ、または、１または複数の別の周囲のアクセス・ポイントのタイプに少なくとも部分的に基づいて、後続するＧＣＩレポートを示すことに関連するアクセス・シーケンスのセットを提供するための電子構成要素１２０４を含みうる。説明するように、アクセス・シーケンスのセットは、規則的なアクセス・シーケンスと、ＧＣＩレポートまたはその他の情報の送信を可能にするものとを区別しうる。
【００７９】
さらに、論理グループ１２０２は、モバイル・デバイスからアクセス・シーケンスを含むアクセス要求を取得し、このアクセス・シーケンスに少なくとも部分的に基づいて、アクセス・ポイントのＧＣＩを送信するためのリソースをモバイル・デバイスに対して許可するための電子構成要素１２０６を含みうる。したがって、説明するように、シーケンスに基づいて、追加のリソースが、ＧＣＩレポートのために許可されうる。さらに、論理グループ１２０２は、許可されたリソースによって、モバイル・デバイスから、アクセス・ポイントのＧＣＩを受信するための電子構成要素１２０８を含みうる。論理グループ１２０２はまた、モバイル・デバイスに関連する情報を受信するために、ＧＣＩを用いてアクセス・ポイントと通信するための電子構成要素１２１０を含みうる。したがって、説明するように、ＧＣＩを用いて情報が受信されるので、ＰＣＩを用いることによって引き起こされる混乱が緩和される。さらに、システム１２００は、電子構成要素１２０４、１２０６、１２０８、１２１０に関連付けられた機能を実行するための命令群を保持するメモリ１２１２を含みうる。メモリ１２１２の外側にあるとして示されているが、電子構成要素１２０４、１２０６、１２０８、１２１０のうちの１または複数がメモリ１２１２内に存在しうることが理解されるべきである。
【００８０】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは状態機器を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００８１】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００８２】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００８３】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［Ｃ１］
方法であって、
アクセス・ポイントに関連するグローバル・セル識別子（ＧＣＩ）を別のアクセス・ポイントへ送信するかを判定することと、
システム・アクセス要求の一部として、前記別のアクセス・ポイントへＧＣＩをレポートすることを示すことと、
前記システム・アクセス要求を、前記別のアクセス・ポイントへ送信することと
を備える方法。
［Ｃ２］
前記ＧＣＩをレポートすることを示すことは、
前記別のアクセス・ポイントとの通信を確立するために、アクセス・シーケンスを選択することと、
前記アクセス・シーケンスを、前記システム・アクセス要求において前記別のアクセス・ポイントへ送信することと
を備えるＣ１に記載の方法。
［Ｃ３］
前記アクセス・シーケンスを選択することは、前記ＧＣＩを送信するために必要なデータ・サイズを計算することを含むＣ２に記載の方法。
［Ｃ４］
前記ＧＣＩをレポートすることを示すことは、前記システム・アクセス要求におけるビットを初期化することを備えるＣ１に記載の方法。
［Ｃ５］
前記ＧＣＩを送信するために十分なリソースの許可を備えるシステム・アクセス応答を、前記別のアクセス・ポイントから受信することをさらに備えるＣ１に記載の方法。
［Ｃ６］
前記リソースによって前記ＧＣＩを送信することをさらに備えるＣ５に記載の方法。
［Ｃ７］
前記アクセス・ポイントはソース・アクセス・ポイントであり、前記別のアクセス・ポイントはハンドオーバにおけるターゲット・アクセス・ポイントであるＣ１に記載の方法。
［Ｃ８］
前記ＧＣＩを送信するかを判定することは、前記アクセス・ポイントのタイプ、または、前記別のアクセス・ポイントのタイプに少なくとも部分的に基づくＣ１に記載の方法。
［Ｃ９］
無線通信装置であって、
システム・アクセス要求において、ソース・アクセス・ポイントに関するグローバル・セル識別子（ＧＣＩ）レポートが要求されているかを示し、前記システム・アクセス要求を、ターゲット・アクセス・ポイントへ送信するように構成された少なくとも１つのプロセッサと、
前記少なくとも１つのプロセッサに接続されたメモリと
を備える無線通信装置。
［Ｃ１０］
前記少なくとも１つのプロセッサはさらに、前記ソース・アクセス・ポイントのＧＣＩを前記ターゲット・アクセス・ポイントへ送信するように構成されたＣ９に記載の無線通信装置。
［Ｃ１１］
前記少なくとも１つのプロセッサはさらに、前記ソース・アクセス・ポイントのＧＣＩを送信するためのリソースを備えるシステム・アクセス応答を、前記ターゲット・アクセス・ポイントから受信するように構成されたＣ１０に記載の無線通信装置。
［Ｃ１２］
前記少なくとも１つのプロセッサは、前記ターゲット・アクセス・ポイントのためのアクセス・シーケンスを選択することに少なくとも部分的に基づいて、ＧＣＩレポートが要求されているかを示し、前記アクセス・シーケンスを、前記システム・アクセス要求で、前記ターゲット・アクセス・ポイントへ送信するＣ９に記載の無線通信装置。
［Ｃ１３］
前記システム・アクセス要求は、ハンドオーバ手続の一部として、前記ターゲット・アクセス・ポイントへ送信されるＣ９に記載の無線通信装置。
［Ｃ１４］
前記少なくとも１つのプロセッサはさらに、前記ソース・アクセス・ポイントのタイプ、または、前記ターゲット・アクセス・ポイントのタイプに少なくとも部分的に基づいて、ＧＣＩレポートを示すかを判定するように構成されたＣ９に記載の無線通信装置。
［Ｃ１５］
装置であって、
アクセス・ポイントのグローバル・セル識別子（ＧＣＩ）を別のアクセス・・ポイントへレポートするかを判定する手段と、
後続するＧＣＩレポートのインジケーションを備えるシステム・アクセス要求を、前記別のアクセス・ポイントへ送信し、リソース割当を備えるシステム・アクセス応答を受信する手段と
を備える装置。
［Ｃ１６］
前記リソース割当によって、前記ＧＣＩを、前記別のアクセス・ポイントへ送信する手段をさらに備えるＣ１５に記載の装置。
［Ｃ１７］
前記後続するＧＣＩレポートのインジケーションは、選択されたアクセス・シーケンスに関連しており、前記送信する手段は、前記アクセス・シーケンスを、前記アクセス要求とともに送信するＣ１５に記載の装置。
［Ｃ１８］
前記アクセス・ポイントは、ソース・アクセス・ポイントであり、前記別のアクセス・ポイントは、ハンドオーバ手続中のターゲット・アクセス・ポイントであるＣ１５に記載の装置。
［Ｃ１９］
前記ＧＣＩをレポートするかを判定する手段は、前記アクセス・ポイントのタイプ、または、前記別のアクセス・ポイントのタイプに少なくとも部分的に基づいて判定するＣ１５に記載の装置。
［Ｃ２０］
コンピュータ読取可能媒体を備えるコンピュータ・プログラム製品であって、
前記コンピュータ読取可能媒体は、
少なくとも１つのコンピュータに対して、アクセス・ポイントに関連するグローバル・セル識別子（ＧＣＩ）を別のアクセス・ポイントへ送信させるかを判定させるためのコードと、
前記少なくとも１つのコンピュータに対して、システム・アクセス要求の一部として、前記別のアクセス・ポイントへＧＣＩをレポートすることを示させるためのコードと、
前記少なくとも１つのコンピュータに対して、前記システム・アクセス要求を、前記別のアクセス・ポイントへ送信させるためのコードと
とを備えるコンピュータ・プログラム製品。
［Ｃ２１］
前記ＧＣＩをレポートすることを示させることは、
前記別のアクセス・ポイントとの通信を確立するために、アクセス・シーケンスを選択することと、
前記アクセス・シーケンスを、前記システム・アクセス要求において送信することとを備えるＣ２０に記載のコンピュータ・プログラム製品。
［Ｃ２２］
前記アクセス・シーケンスを選択することは、前記ＧＣＩを送信するために必要なデータ・サイズを計算することを含むＣ２１に記載のコンピュータ・プログラム製品。
［Ｃ２３］
前記コンピュータ読取可能媒体はさらに、前記少なくとも１つのコンピュータに対して、前記ＧＣＩを送信するために十分なリソースを許可することを備えるシステム・アクセス応答を、前記別のアクセス・ポイントから受信させるためのコードをさらに備えるＣ２０に記載のコンピュータ・プログラム製品。
［Ｃ２４］
前記コンピュータ読取可能媒体はさらに、前記少なくとも１つのコンピュータに対して、前記リソースによって前記ＧＣＩを送信させるためのコードをさらに備えるＣ２３に記載のコンピュータ・プログラム製品。
［Ｃ２５］
前記アクセス・ポイントはソース・アクセス・ポイントであり、前記別のアクセス・ポイントはハンドオーバにおけるターゲット・アクセス・ポイントであるＣ２０に記載のコンピュータ・プログラム製品。
［Ｃ２６］
前記ＧＣＩを送信するかを判定することは、前記アクセス・ポイントのタイプ、または、前記別のアクセス・ポイントのタイプに少なくとも部分的に基づくＣ２０に記載のコンピュータ・プログラム製品。
［Ｃ２７］
装置であって、
アクセス・ポイントのグローバル・セル識別子（ＧＣＩ）を別のアクセス・ポイントへレポートするかを見分けるグローバル・セル識別子（ＧＣＩ）判定構成要素と、
後続するＧＣＩレポートを示すことを備えるシステム・アクセス要求を、前記別のアクセス・ポイントへ送信し、リソース割当を備えるシステム・アクセス応答を受信するシステム・アクセス構成要素と
を備える装置。
［Ｃ２８］
前記リソース割当によって、前記ＧＣＩを前記別のアクセス・ポイントへ送信するＧＣＩレポート構成要素をさらに備えるＣ２７に記載の装置。
［Ｃ２９］
前記システム・アクセス構成要素はさらに、アクセス・シーケンスを、後続するＧＣＩレポートのインジケーションとして選択し、前記システム・アクセス構成要素は、前記アクセス要求を用いて、前記アクセス・シーケンスを送信するＣ２７に記載の装置。
［Ｃ３０］
前記アクセス・ポイントは、ソース・アクセス・ポイントであり、前記別のアクセス・ポイントは、ハンドオーバ手続中のターゲット・アクセス・ポイントであるＣ２７に記載の装置。
［Ｃ３１］
前記ＧＣＩ判定構成要素は、前記アクセス・ポイントのタイプ、または、前記別のアクセス・ポイントのタイプに少なくとも部分的に基づいて前記ＧＣＩをレポートするかを判定するＣ２７に記載の装置。
［Ｃ３２］
方法であって、
ローカル・タイプ、アクセス・ポイントのタイプ、または、１または複数の周囲の別のアクセス・ポイントのタイプに少なくとも部分的に基づいて、前記アクセス・ポイントのグローバル・セル識別子（ＧＣＩ）の後続するレポートを示すアクセス・シーケンスのセットを明らかにすることと、
アクセス・シーケンスを備えるシステム・アクセス要求をモバイル・デバイスから受信することと、
前記アクセス・シーケンスのセットにおいてアクセス・シーケンスを位置決めすることに少なくとも部分的に基づいて、後続するＧＣＩのレポートを判定することと
を備える方法。
［Ｃ３３］
前記ＧＣＩの後続するレポートを判定することに基づいて、前記ＧＣＩを送信するために十分なリソースを前記モバイル・デバイスへ割り当てることをさらに備えるＣ３２に記載の方法。
［Ｃ３４］
前記割り当てられたリソースによって前記ＧＣＩを受信することをさらに備えるＣ３３に記載の方法。
［Ｃ３５］
前記モバイル・デバイスに関連する情報を受信するために、前記ＧＣＩを用いて前記アクセス・ポイントと通信することをさらに備えるＣ３４に記載の方法。
［Ｃ３６］
前記アクセス・シーケンスのセットを明らかにすることは、前記ローカル・タイプ、前記アクセス・ポイントのタイプ、または、前記１または複数の周囲の別のアクセス・ポイントのタイプに少なくとも部分的に基づいて、前記アクセス・シーケンスのセットにおいて明示すべきアクセス・シーケンスの数を判定することを含むＣ３２に記載の方法。
［Ｃ３７］
無線通信装置であって、
ローカル・タイプ、または、１または複数の周囲の別のアクセス・ポイントに少なくとも部分的に基づいて、１または複数のモバイル・デバイスから、後続するグローバル・セル識別子（ＧＣＩ）レポートを受信することに対応するアクセス・シーケンスのセットを提供し、アクセス・シーケンスを含むシステム・アクセス要求をモバイル・デバイスから受信し、前記アクセス・シーケンスのセットにおけるアクセス・シーケンスを識別することに少なくとも部分的に基づいて、ＧＣＩレポートが要求されているかを見分けるように構成された少なくとも１つのプロセッサと
前記少なくとも１つのプロセッサに接続されたメモリと
を備える無線通信装置。
［Ｃ３８］
前記少なくとも１つのプロセッサはさらに、前記ＧＣＩレポートが要求されているかを見分けることに基づいて、前記ＧＣＩを送信するためのリソースを前記モバイル・デバイスへ割り当てるように構成されたＣ３７に記載の無線通信装置。
［Ｃ３９］
前記少なくとも１つのプロセッサはさらに、前記割り当てられたリソースによって、ソース・アクセス・ポイントのＧＣＩを受信するように構成されたＣ３８に記載の無線通信装置。
［Ｃ４０］
前記少なくとも１つのプロセッサはさらに、前記ＧＣＩを用いて、前記ソース・アクセス・ポイントから、前記モバイル・デバイスに関連する情報を要求するように構成されたＣ３９に記載の無線通信装置。
［Ｃ４１］
装置であって、
ローカル・タイプ、または、１または複数の別の周囲のアクセス・ポイントに少なくとも部分的に基づいて、後続するグローバル・セル識別子（ＧＣＩ）レポートを示すことに関連するアクセス・シーケンスのセットを提供する手段と、
アクセス・シーケンスを含むアクセス要求をモバイル・デバイスから取得し、前記アクセス・シーケンスに少なくとも部分的に基づいて、アクセス・ポイントのＧＣＩを送信するためのリソースを前記モバイル・デバイスへ許可する手段と
を備える装置。
［Ｃ４２］
前記許可されたリソースによって、前記アクセス・ポイントのＧＣＩを、前記モバイル・デバイスから受信する手段をさらに備えるＣ４１に記載の装置。
［Ｃ４３］
前記モバイル・デバイスに関連する情報を受信するために、前記ＧＣＩを用いて、前記アクセス・ポイントと通信する手段をさらに備えるＣ４２に記載の装置。
［Ｃ４４］
前記アクセス・ポイントは、ハンドオーバ手続中のソース・アクセス・ポイントであるＣ４３に記載の装置。
［Ｃ４５］
前記アクセス・シーケンスのセットを提供する手段は、前記ローカル・タイプ、または、前記１または複数の別の周囲のアクセス・ポイントに少なくとも部分的に基づいて、前記セット内に提供されるシーケンスの数を判定するＣ４１に記載の装置。
［Ｃ４６］
コンピュータ読取可能媒体を備えるコンピュータ・プログラム製品であって、
前記コンピュータ読取可能媒体は、
少なくとも１つのコンピュータに対して、ローカル・タイプ、または、１または複数の周囲の別のアクセス・ポイントのタイプに少なくとも部分的に基づいて、アクセス・ポイントのグローバル・セル識別子（ＧＣＩ）の後続するレポートを示すアクセス・シーケンスのセットを明らかにさせるためのコードと、
前記少なくとも１つのコンピュータに対して、アクセス・シーケンスを備えるシステム・アクセス要求をモバイル・デバイスから受信させるためのコードと、
前記少なくとも１つのコンピュータに対して、前記アクセス・シーケンスのセットにおいてアクセス・シーケンスを位置決めすることに少なくとも部分的に基づいて、後続するＧＣＩのレポートを判定させるためのコードと
を備えるコンピュータ・プログラム製品。
［Ｃ４７］
前記コンピュータ読取可能媒体は、前記少なくとも１つのコンピュータに対して、前記ＧＣＩの後続するレポートを判定することに基づいて、前記ＧＣＩを送信するために十分なリソースを前記モバイル・デバイスへ割り当てさせるためのコードをさらに備えるＣ４６に記載のコンピュータ・プログラム製品。
［Ｃ４８］
装置であって、
ローカル・タイプ、または、１または複数の別の周囲のアクセス・ポイントに少なくとも部分的に基づいて、後続するグローバル・セル識別子（ＧＣＩ）レポートを示すことに関連するアクセス・シーケンスのセットを提供するアクセス・シーケンス構成要素と、
前記アクセス・シーケンスを含むアクセス要求をモバイル・デバイスから取得し、前記アクセス・シーケンスに少なくとも部分的に基づいて、前記アクセス・ポイントのＧＣＩを送信するためのリソースを前記モバイル・デバイスへ許可するアクセス要求構成要素とを備える装置。
［Ｃ４９］
前記許可されたリソースによって、前記モバイル・デバイスから前記アクセス・ポイントのＧＣＩを取得するＧＣＩ受信構成要素をさらに備えるＣ４８に記載の装置。
［Ｃ５０］
前記モバイル・デバイスに関する情報を、前記ＧＣＩを用いて、前記アクセス・ポイントから受信するソース通信構成要素をさらに備えるＣ４９に記載の装置。
【図１】
0005420653.tif 000002
【図２】
0005420653.tif 000003
【図３】
0005420653.tif 000004
【図４】
0005420653.tif 000005
【図５】
0005420653.tif 000006
【図６】
0005420653.tif 000007
【図７】
0005420653.tif 000008
【図８】
0005420653.tif 000009
【図９】
0005420653.tif 000010
【図１０】
0005420653.tif 000011
【図１１】
0005420653.tif 000012
【図１２】
0005420653.tif 000013